(57)【要約】【課題】複数種類の情報収集装置を作製することなく、かつボタン押圧操作を容易に行うこと。【解決手段】情報収集装置１は、第１基板３０ａ、中間層基板３０ｂおよび第２基板３０ｃを備える。第１基板３０ａの表側面に第１ボタン３Ａ，６Ａが設けられ、第１基板３０ａの裏側面に第１導電部３８Ａが設けられ、第２基板３０ｃの表側面に第２ボタン３Ｂ，６Ｂが設けられ、第２基板３０ｃの裏側面に第２導電部３８Ｂが設けられている。中間層基板３０ｂの第１基板３０ａ側の面に第１配線１８Ａが設けられ、中間層基板３０ｂの第２基板３０ｃ側の面に第２配線１８Ｂが設けられている。【選択図】図３
2019176102.tif 000002
【特許請求の範囲】
【請求項１】
順次重ね合わされて配置された第１基板、中間層基板および第２基板と、
前記第１基板の表側面に設けられ、使用者が押圧可能な複数の第１ボタンと、
前記第１基板の裏側面に各第１ボタンに対応して設けられた複数の第１導電部と、
前記第２基板の表側面に設けられ、使用者が押圧可能な複数の第２ボタンと、
前記第２基板の裏側面に各第２ボタンに対応して設けられた複数の第２導電部と、
前記中間層基板の前記第１基板側の面に設けられた第１配線と、
前記中間層基板の前記第２基板側の面に設けられた第２配線と、を備え、
各第１ボタンと各第２ボタンは、各々平面上重なり合うことはない、配線基板。
【請求項２】
前記第１基板、前記中間層基板および前記第２基板は、一体に成形されている、請求項１記載の配線基板。
【請求項３】
前記第１基板と前記中間層基板との間に第１スペーサ基板が介在され、前記第２基板と前記中間層基板との間に第２スペーサ基板が介在されている、請求項１または２記載の配線基板。
【請求項４】
順次重ね合わされて配置された第１基板、中間層基板および第２基板と、
前記第１基板の表側面に設けられ、使用者が押圧可能な複数の第１ボタンと、
前記第１基板の裏側面に各第１ボタンに対応して設けられた複数の第１導電部と、
前記第２基板の表側面に設けられ、使用者が押圧可能な複数の第２ボタンと、
前記第２基板の裏側面に各第２ボタンに対応して設けられた複数の第２導電部と、
前記中間層基板の前記第１基板側の面に設けられた第１配線と、
前記中間層基板の前記第２基板側の面に設けられた第２配線と、を備え、
各第１ボタンと各第２ボタンは、各々平面上重なり合うことはない、配線基板と、
前記中間層基板に設けられ、前記第１配線および前記第２配線の双方に接続された通信モジュールとを備えた配線装置。
【請求項５】
順次重ね合わされて配置された第１基板、中間層基板および第２基板と、
前記第１基板の表側面に設けられ、使用者が押圧可能な複数の第１ボタンと、
前記第１基板の裏側面に各第１ボタンに対応して設けられた複数の第１導電部と、
前記第２基板の表側面に設けられ、使用者が押圧可能な複数の第２ボタンと、
前記第２基板の裏側面に各第２ボタンに対応して設けられた複数の第２導電部と、
前記中間層基板の前記第１基板側の面に設けられた第１配線と、
前記中間層基板の前記第２基板側の面に設けられた第２配線と、を備え、
各第１ボタンと各第２ボタンは、各々平面上重なり合うことはない、配線基板と、
前記中間層基板に設けられ、前記第１配線および前記第２配線の双方に接続された通信モジュールとを備え、
前記通信モジュールは使用者が押圧した前記第１ボタンおよび前記第２ボタンの押圧情報を記憶する記憶部と、前記記憶部に記憶された情報を外部へ出力する出力インターフェース部とを有する、情報収集装置。
【請求項６】
前記中間層基板に、前記第１ボタンまたは前記第２ボタンのいずれかが押圧された際に押圧確認を行う発光部を設けた、請求項５記載の情報収集装置。
【発明の詳細な説明】
【技術分野】
【０００１】
本発明は、ボタンの押圧情報を記憶して、記憶された情報を外部に伝送するインタフェース機能を備えた情報収集装置および配線基板および配線装置に関する。
【背景技術】
【０００２】
紙などの折り畳み可能なシート材にＩＣチップを含む通信機能を内蔵させて、外部との無線通信を行い、その後廃棄することを前提した検定装置が提案されている（特許文献１参照）。
【０００３】
このような検定装置において、シート材には使用者が押圧すべき入力ボタンが設けられ、使用者はこのボタンを押圧して必要な情報を入力する。
【０００４】
ところで上記検定装置はその一面に押圧すべき複数の入力ボタンを有するが、このような入力ボタンの数が増加すると、検定装置を２種類以上に分けるか、又は検定装置の一面に多数の入力ボタンを配置する必要がある。
【０００５】
この場合、２種類以上の検定装置を作製することは煩雑となり、かつコスト増加となる。他方、検定装置の一面に多数の入力ボタンを詰めて配置した場合、ボタンの押圧操作に支障が生じたり、検定装置の見映えが悪くなる。
【先行技術文献】
【特許文献】
【０００６】
【特許文献１】特表２００８−５１６２４８号公報
【発明の概要】
【発明が解決しようとする課題】
【０００７】
本発明は、このような点を考慮してなされたものであり、複数種類の装置を作製することなく、かつ押圧可能なボタンを各々の間隙を十分にとって配置することができ、ボタンの押圧操作を容易に行うことができる、配線基板、配線装置および情報収集装置を提供することを目的とする。
【課題を解決するための手段】
【０００８】
本発明は、順次重ね合わされて配置された第１基板、中間層基板および第２基板と、前記第１基板の表側面に設けられ、使用者が押圧可能な複数の第１ボタンと、前記第１基板の裏側面に各第１ボタンに対応して設けられた複数の第１導電部と、前記第２基板の表側面に設けられ、使用者が押圧可能な複数の第２ボタンと、前記第２基板の裏側面に各第２ボタンに対応して設けられた複数の第２導電部と、前記中間層基板の前記第１基板側の面に設けられた第１配線と、前記中間層基板の前記第２基板側の面に設けられた第２配線と、を備え、各第１ボタンと各第２ボタンは、各々平面上重なり合うことはない、配線基板である。
【０００９】
本発明は、前記第１基板、前記中間層基板および前記第２基板は、一体に成形されている、配線基板である。
【００１０】
本発明は、前記第１基板と前記中間層基板との間に第１スペーサ基板が介在され、前記第２基板と前記中間層基板との間に第２スペーサ基板が介在されている、配線基板である。
【００１１】
本発明は、順次重ね合わされて配置された第１基板、中間層基板および第２基板と、前記第１基板の表側面に設けられ、使用者が押圧可能な複数の第１ボタンと、前記第１基板の裏側面に各第１ボタンに対応して設けられた複数の第１導電部と、前記第２基板の表側面に設けられ、使用者が押圧可能な複数の第２ボタンと、前記第２基板の裏側面に各第２ボタンに対応して設けられた複数の第２導電部と、前記中間層基板の前記第１基板側の面に設けられた第１配線と、前記中間層基板の前記第２基板側の面に設けられた第２配線と、を備え、各第１ボタンと各第２ボタンは、各々平面上重なり合うことはない、配線基板と、前記中間層基板に設けられ、前記第１配線および前記第２配線の双方に接続された通信モジュールとを備えた配線装置である。
【００１２】
本発明は、順次重ね合わされて配置された第１基板、中間層基板および第２基板と、前記第１基板の表側面に設けられ、使用者が押圧可能な複数の第１ボタンと、前記第１基板の裏側面に各第１ボタンに対応して設けられた複数の第１導電部と、前記第２基板の表側面に設けられ、使用者が押圧可能な複数の第２ボタンと、前記第２基板の裏側面に各第２ボタンに対応して設けられた複数の第２導電部と、前記中間層基板の前記第１基板側の面に設けられた第１配線と、前記中間層基板の前記第２基板側の面に設けられた第２配線と、を備え、各第１ボタンと各第２ボタンは、各々平面上重なり合うことはない、配線基板と、前記中間層基板に設けられ、前記第１配線および前記第２配線の双方に接続された通信モジュールとを備え、前記通信モジュールは使用者が押圧した前記第１ボタンおよび前記第２ボタンの押圧情報を記憶する記憶部と、前記記憶部に記憶された情報を外部へ出力する出力インターフェース部とを有する、情報収集装置である。
【００１３】
本発明は、前記中間層基板に、前記第１ボタンまたは前記第２ボタンのいずれかが押圧された際に押圧確認を行う発光部を設けた、情報収集装置である。
【発明の効果】
【００１４】
本発明によれば、複数種類の情報収集装置を作製する必要はないので、コスト低減を図ることができ、かつボタンの押圧操作を容易とすることができ、意匠性向上を図ることができる。
【図面の簡単な説明】
【００１５】
【図１】図１は本発明の実施形態に係る情報収集装置を表側からみた外観図。
【図２】図２は図１に示す情報収集装置を裏側からみた外観図。
【図３】図３は図１に示す情報収集装置の展開図。
【図４】図４は図３に示す情報収集装置を裏側からみた展開図。
【図５】図５は通信モジュールの概略構成を示すブロック図。
【図６】図６はＡＳＩＣの内部構成の一例を示すブロック図。
【図７】図７はボタンを示す断面図。
【図８】図８は基板に貼り付けられた拡散フィルムを示す側断面図。
【発明を実施するための形態】
【００１６】
＜本発明の実施の形態＞
以下、本発明の実施の形態について、詳細に説明する。  
本実施形態は、使用者が健康状態等を記録する情報収集装置であって、図１はその表側からみた外観図、図２は裏側からみた外観図である。図１および図２に示す情報収集装置は、シート状の健康記録カードからなり、折り畳み式になっていて、展開すると図３および図４に示すような状態となる。情報収集装置１としての健康記録カード／運動記録カードは後述する紙製基板３０と、紙製基板３０上に設けられた第１配線１８Ａおよび第２配線１８Ｂと、この第１配線１８Ａおよび第２配線１８Ｂに回路コネクタ９０Ａ，９０Ｂを介して接続された無線送信可能な通信モジュール１０とを備えている（図３および図４参照）。
【００１７】
このうち紙製基板３０と、この紙製基板３０上に設けられた第１配線１８Ａおよび第２配線１８Ｂとにより、配線基板７０が構成されている。
【００１８】
健康記録カード／運動記録カードからなる情報収集装置１について更に説明する。このような情報収集装置１は、上述のように配線基板７０と、通信モジュール１０とを備えている。このうち配線基板７０は図３および図４に示すように、順次重ね合わせて配置された第１基板３０ａ、中間層基板３０ｂ、および第２基板３０ｃを含む紙製基板３０と、第１基板３０ａの表側面３０ａ１に設けられ使用者が押圧可能な複数の第１ボタン３Ａ，６Ａと、第１基板３０ａの裏側面３０ａ２に各第１ボタン３Ａ，６Ａに対応して設けられた複数の第１導電部３８Ａと、第２基板３０ｃの表側面３０ｃ１に設けられ使用者が押圧可能な複数の第２ボタン３Ｂ，６Ｂと、第２基板３０ｃの裏側面３０ｃ２に各第２ボタン３Ｂ，６Ｂに対応して設けられた複数の第２導電部３８Ｂとを備えている。また中間層基板３０ｂの第１基板３０ａ側の面３０ｂ２に第１配線１８Ａが設けられ、中間層基板３０ｂの第２基板３０ｃ側の面３０ｃ１に第２配線１８Ｂが設けられている。
【００１９】
なお、第１基板３０ａ上の第１ボタン３Ａ，６Ａと、第２基板３０ｃ上の第２ボタン３Ｂ，６Ｂとは、第１基板３０ａと、中間層基板３０ｂと第２基板３０ｃとを互いに重ね合わせた場合、平面上重なることはなく、このため第１ボタン３Ａ，６Ａを押圧した場合に、第２ボタン３Ｂ，６Ｂが同時に押圧されることはない。
【００２０】
同様に、第２ボタン３Ｂ，６Ｂを押圧した場合に、第１ボタン３Ａ，６Ａが同時に押圧されることはない。
【００２１】
次に図３および図４により紙製基板３０について更に述べる。
【００２２】
図３において、紙製基板３０は互いに重ね合わされて配送された第１基板３０ａ、中間層基板３０ｂおよび第２基板３０ｃを有し、さらに中間層基板３０ｂの横方向左側に第１スペーサ基板３０ｄが連結され、第２基板３０ｃの横方向右側に第２スペーサ基板３０ｅが連結されている。
【００２３】
ここで図３は紙製基板３０の表側を示す展開図であり、図４は紙製基板３０の裏側を示す展開図である。
【００２４】
本実施の形態において、「横方向」、「縦方向」、「左側」、「右側」とは紙製基板３０を図３に示す方向に配置した場合の「横方向」、「縦方向」、「左側」、「右側」を意味する。
【００２５】
図３において、紙製基板３０の第１スペーサ基板３０ｄと、中間層基板３０ｂと、第１基板３０ａと、第２基板３０ｃと、第２スペーサ基板３０ｅは、左側から右側に向かってこの順で配置されている。また第１スペーサ基板３０ｄと、中間層基板３０ｂと、第１基板３０ａと、第２基板３０ｃと、第２スペーサ基板３０ｅは、互いに縦方向折曲線６１を介して一体に連結されて紙製基板３０を構成する。
【００２６】
しかしながら紙製基板３０の第１スペーサ基板３０ｄ、中間層基板３０ｂ、第１基板３０ａ、第２基板３０ｃおよび第２スペーサ基板３０ｅを各々別個独立して互いに分離して設けてもよい。
【００２７】
次に図１および図２により、健康記録カード／運動記録カードからなる情報収集装置１の情報入力面について述べる。
【００２８】
図１および図２に示すように、情報収集装置１は、表側情報入力面２Ａと裏側情報入力面２Ｂとを含む。
【００２９】
図１に示すように、表側情報入力面２Ａの上方にはスタートボタン３Ａが設けられ、表側情報入力面２Ａの中央および下方には、「体調」、「食欲」、「睡眠」の各項目毎に「よい」、「ふつう」、「わるい」の３段階の選択ボタン６Ａが設けられている。そしてスタートボタン３Ａと選択ボタン６Ａにより第１ボタン３Ａ，６Ａが構成される。
【００３０】
また図２に示すように、裏側情報入力面２Ｂの上方にはスタートボタン３Ｂが設けられ、裏側情報入力面２Ｂの中央および下方には、「ウォーキング」、「スイミング」、「体操、筋トレ」の各項目毎にそれぞれ実行した３段階の時間を示す選択ボタン６Ｂが設けられている。そしてスタートボタン３Ｂと選択ボタン６Ｂとにより第２ボタン３Ｂ，６Ｂが構成される。
【００３１】
これにより、使用者は、情報収集装置１の表側情報入力面２Ａおよび裏側情報入力面２Ｂの２面から健康記録情報／運動記録情報を入力することができる。
【００３２】
具体的には、使用者が情報収集装置１の表側情報入力面２Ａを使用するとき、まず、スタートボタン３Ａを押圧する。その後、使用者は表側情報入力面２Ａの選択ボタン６Ａを順次選択して押圧する。
【００３３】
同様に使用者が裏側情報入力面２Ｂを使用するとき、まず、スタートボタン３Ｂを押圧する。その後、使用者は裏側情報入力面２Ｂの選択ボタン６Ｂを順次選択して押圧する。
【００３４】
使用者が押圧したスタートボタン３Ａ，３Ｂ、選択ボタン６Ａ，６Ｂの情報は、情報収集装置１内に内蔵された通信モジュール１０に自動的に記憶される仕組みになっている。
【００３５】
図５は上述した無線通信可能な通信モジュール１０の概略構成を示すブロック図である。図５の通信モジュール１０は、樹脂基板１１の上に実装されたＩＣチップとしてのＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）１２と、水晶振動子１３と、ボタン電池１４と、スピーカ１５と、樹脂基板１１の長辺に沿って形成される複数のパッド１６と、樹脂基板１１の外縁部に沿って形成されるアンテナパターン１７ａと、樹脂基板１１上に形成される導電パターン１７ｂとを有する。
【００３６】
図５は通信モジュール１０の内部構成を機能化したブロック図であり、実際の各回路部品やパターンの配置やサイズ、形状、個数は任意に変更可能である。
【００３７】
図６はＡＳＩＣ１２の内部構成の一例を示すブロック図である。図６のＡＳＩＣ１２は、使用者が押圧したスタートボタン３Ａ，３Ｂ、各選択ボタン６Ａ，６Ｂの情報を時刻情報とともに時系列で記憶する記憶部２１と、記憶部２１に押圧情報を記憶する制御を行う制御部２２と、不図示のホストコンピュータとの間で無線通信を行う無線通信部（出力インターフェース部）２３とを有する。
【００３８】
また制御部２２は、使用者がボタン３Ａ，３Ｂ，６Ａ，６Ｂを押圧した際、その押圧された情報を後述するフレキシブル確認回路１００のＬＥＤ発光部１０２を駆動させて発光させる。
【００３９】
記憶部２１は、使用者が押圧したボタンを特定する情報と、そのボタンが押圧された時刻情報とを組にして記憶する。
【００４０】
無線通信部２３は、ホストコンピュータとの間で、いわゆるＮＦＣ（Ｎｅａｒ  Ｆｉｅｌｄ  Ｃｏｍｍｕｎｉｃａｔｉｏｎ、近接無線通信）やBluetooth（登録商標）等の非接触通信を行って、情報の送受を行う。無線通信部２３が無線通信に用いる方式や周波数帯域は特に制限されるものではなく、例えば１３．５６ＭＨｚの帯域でＩＳＯ１４４４３に準拠した無線方式で無線通信を行い、Bluetoothの場合は規格で定めた周波数（例えば２．４ＧＨｚ）で無線通信を行う。
【００４１】
ＮＦＣでは、規格上電力の送受もできるため、電池なしで通信モジュール１０を駆動することも原理的には可能である。ただし、本実施形態の通信モジュール１０は、スピーカ１５も備えており、電力の消費量が比較的大きいため、ボタン電池１４を搭載している。
【００４２】
ところで、図３および図４に示すように、紙製基板３０の第１スペーサ基板３０ｄ、第１基板３０ａ、第２基板３０ｃおよび第２スペーサ基板３０ｅには必要な開口６２が設けられている。
【００４３】
そして図３において紙製基板３０を組み立てる場合、まず中間層基板３０ｂの第１基板３０ａ側の面３０ｂ２上に第１スペーサ基板３０ｄを折り曲げて重ね合わせ、さらに重ね合わされた中間層基板３０ｂと第１スペーサ基板３０ｄを第１基板３０ａの裏側面３０ａ２上に折り曲げて重ね合わせる。このとき、中間層基板３０ｂの第２基板３０ｃ側の面３０ｂ１が手前側へ露出する。
【００４４】
次に第２スペーサ基板３０ｅを折り曲げて第２基板３０ｃの裏側面３０ｃ２上に重ね合わせる。次に第２スペーサ基板３０ｅと第２基板３０ｃを手前側へ露出した中間層基板３０ｂの第２基板３０ｃ側の面３０ｂ１上へ重ね合わせる。
【００４５】
このようにして紙製基板３０を折り曲げて順次重ね合わせることにより、図１および図２に示す情報収集装置１を得ることができる。
【００４６】
このとき紙製基板３０の第１基板３０ａの表側面３０ａ１が外方へ現れて表側情報入力面２Ａが構成され（図１参照）、第２基板３０ｃの表側面３０ｃ１が外方へ現れて裏側情報入力面２Ｂが構成される（図２参照）。
【００４７】
次に中間層基板３０ｂの第１基板３０ａ側の面３０ｂ２上に設けられた第１配線１８Ａと、中間層基板３０ｂの第２基板３０ｃ側の面３０ｂ１上に設けられた第２配線１８Ｂについて述べる。
【００４８】
このうち第１配線１８Ａは導電パターン２０を含み、この導電パターン２０はスタートボタン３Ａに対応したスイッチ接点３１Ａと、各選択ボタン６Ａに対応したスイッチ接点３２Ａを有する。
【００４９】
これらスイッチ接点３１Ａ，３２Ａは初期状態で遮断されている。
【００５０】
スイッチ接点３１Ａ，３２Ａは、対応するボタン３Ａ，６Ａを押圧したときに、表側情報入力面２Ａの裏面側に設けられた正方形の第１導電部３８Ａが対応するスイッチ接点に接触して、押圧している間だけ一時的に導通する。
【００５１】
このように、各スイッチ接点３１Ａ，３２Ａに別の第１導電部３８Ａを接触させることにより、スイッチ接点の状態を切り替えることができる。
【００５２】
各スイッチ接点３１Ａ，３２Ａの一端は、導電パターン２０を介して中間層基板３０ｂの面３０ｂ２上の端子部３９Ａの対応する端子に接続され、他端はいずれも導電パターン２０を介して接地端子に接続されている。端子部３９Ａには、スイッチ接点の総数分の端子が設けられ、これに加えて、端子部３９Ａの両端側には接地端子が設けられている。接地端子から延びる導電パターン（以下、接地パターン１９）は、中間層基板３０ｂの面３０ｂ２の外縁に沿って、他の導電パターンとスイッチ接点を取り囲むように形成されている。
【００５３】
この接地パターン１９は、ノイズの低減を図るために、他の導電パターンよりも太く形成されている。
【００５４】
ここで上述した導電パターン２０と接地パターン１９とにより、第１配線１８Ａが構成される。また第１配線１８Ａに端子部３９Ａが接続される。
【００５５】
また第２配線１８Ｂは導電パターン２０を含み、この導電パターン２０は、スタートボタン３Ｂに対応したスイッチ接点３１Ｂと、各選択ボタン６Ｂに対応したスイッチ接点３２Ｂを有する。
【００５６】
これらスイッチ接点３１Ｂ，３２Ｂは初期状態で遮断されている。
【００５７】
スイッチ接点３１Ｂ，３２Ｂは、対応するボタン３Ｂ，６Ｂを押圧したときに、裏側情報入力面２Ｂの裏面側に設けられた正方形の第２導電部３８Ｂが対応するスイッチ接点に接触して、押圧している間だけ一時的に導通する。
【００５８】
このように、各スイッチ接点３１Ｂ，３２Ｂに別の第２導電部３８Ｂを接触させることにより、スイッチ接点の状態を切り替えることができる。
【００５９】
各スイッチ接点３１Ｂ，３２Ｂの一端は、導電パターン２０を介して中間層基板３０ｂの面３０ｂ１上の端子部３９Ｂの対応する端子に接続され、他端はいずれも導電パターン２０を介して接地端子に接続されている。端子部３９Ｂには、スイッチ接点の総数分の端子が設けられ、これに加えて、端子部３９Ｂの両端側には接地端子が設けられている。接地端子から延びる導電パターン（以下、接地パターン１９）は、中間層基板３０ｂの面３０ｂ１の外縁に沿って、他の導電パターンとスイッチ接点を取り囲むように形成されている。
【００６０】
この接地パターン１９は、ノイズの低減を図るために、他の導電パターンよりも太く形成されている。
【００６１】
ここで上述した導電パターン２０と接地パターン１９とにより、第２配線１８Ｂが構成される。また第２配線１８Ｂに端子部３９Ｂが接続される。また紙製基板３０と、紙製基板３０上に形成された第１配線１８Ａおよび第２配線１８Ｂとにより通信モジュール１０が接合される前の配線基板７０が構成される。
【００６２】
このように、すべてのスイッチ接点３１Ａ，３１Ｂ，３２Ａ，３２Ｂが、対応する端子と接地パターン１９との間に接続されている。したがって、いずれかのスイッチ接点の状態が変化すると、その変化した情報が、専用の端子を介して通信モジュール１０に伝達されることになる。通信モジュール１０内の記憶部２１は、接点の状態が変化したスイッチ接点を特定する情報と、すなわち押圧された選択ボタンまたは破断位置を特定する情報と、接点の状態が変化した時刻情報とを記憶する。
【００６３】
ところで、上述のように紙製基板３０の中間層基板３０ｂ上に通信モジュール１０が配置されている。この通信モジュール１０は中間層基板３０ｂのうち、第１基板３０ａ側の面３０ｂ２上に配置され、通信モジュール１０は、中間層基板３０ｂの第１基板３０ａ側の面３０ｂ２上に設置された第１配線１８Ａに回路コネクタ９０Ａを介して接続されている（図３参照）。
【００６４】
同様に通信モジュール１０は、中間層基板３０ｂに設けられた貫通孔（図示せず）を通る回路コネクタ９０Ｂを介して、中間層基板３０ｂの第２基板３０ｃ側の面３０ｂ１上に設置された第２配線１８Ｂに接続されている（図４参照）。
【００６５】
なお、上述したボタン３Ａ，３Ｂ，６Ａ，６Ｂは、図７に示すように、第１基板３０ａおよび第２基板３０ｃに設けられ、対応するスイッチ接点３１Ａ，３１Ｂ，３２Ａ，３２Ｂ側へ突出するエンボス３５間に設けられ、エンボス３５によってボタン３Ａ，３Ｂ，６Ａ，６Ｂに対応して設けられた導電部３８Ａ，３８Ｂと、スイッチ接点３１Ａ，３１Ｂ，３２Ａ，３２Ｂとの間の距離を保つようになっている。
【００６６】
また上述のように、紙製基板３０のうち中間層基板３０ｂに、通信モジュール１０が配置されるが、この中間層基板３０ｂと通信モジュール１０との間にフレキシブル確認回路１００が介在される（図３参照）。このフレキシブル確認回路１００はいずれかのボタン、例えばスタートボタン３Ａ，３Ｂ、選択ボタン６Ａ，６Ｂのいずれかのボタンが押圧された際に、この押圧確認を行うＬＥＤ発光部１０２等の押圧確認手段を含む。図３において、このＬＥＤ発光部１０２は通信モジュール１０の右端から手前側へ露出している。
【００６７】
具体的には、フレキシブル確認回路１００はビニル系、ゴム系の材料からなる絶縁性のフレキシブル基材１０１と、このフレキシブル基材１０１上に実装されたＬＥＤ発光部１０２と、フレキシブル基材１０１上に設けられ、ＬＥＤ発光部１０２と通信モジュール１０とを接続するとともに、線状に形成された導電部１０３とを有する。
【００６８】
フレキシブル確認回路１００のＬＥＤ発光部１０２は、第１スペーサ基板３０ｄの開口６２を介して表側情報入力面２Ａを構成する第１基板３０ａの発光部用窓１０５Ａから外方へ光を発光する。同時にＬＥＤ発光部１０２は中間層基板３０ｂの開口６２および第２スペーサ基板３０ｅの開口６２を介して裏側情報入力面２Ｂを構成する第２基板３０ｃの発光部用窓１０５Ｂから外方へ光を発光する。
【００６９】
ところでＬＥＤ発光部１０２としては、例えばチップ状のＬＥＤ素子を用いることができ、ＬＥＤ発光部１０２の電源は通信モジュール１０内のボタン電池から供給される。
【００７０】
次に、紙製基板３０に対してフレキシブル確認回路１００を設置する方法について説明する。
【００７１】
まずフレキシブル基材１０１上に印刷等により線状の導電部１０３が形成され、この導電部１０３の一側端部に、チップ状のＬＥＤ素子からなるＬＥＤ発光部１０２が導電性接着剤等により実装される。このようにしてフレキシブル基材１０１と、導電部１０３と、ＬＥＤ発光部１０２とを有するフレキシブル確認回路１００が構成される。
【００７２】
次に、このようにして構成されたフレキシブル確認回路１００は、導電部１０３およびＬＥＤ発光部１０２を通信モジュール１０側へ向けて、通信モジュール１０の裏面に取付けられる。本実施形態においては、フレキシブル確認回路１００は、通信モジュール１０のスピーカ端子部に接続されている。この場合、スタートボタン３Ａ，３Ｂおよび選択ボタン６Ａ，６Ｂのいずれかのボタンが押圧された際にスピーカからブザー音が鳴るように設定しておくことで、ブザー音に連動してＬＥＤ発光部１０２が発光する。また、ボタン毎にブザー音を変えておくとＬＥＤの発光も変化する為、発光状態でどのボタンが押されたか視覚的に確認することが可能になる。
【００７３】
このとき、通信モジュール１０は、フレキシブル確認回路１００の導電部１０３の他側端部に導電性接着剤を用いて接続される。
【００７４】
このように予めフレキシブル確認回路１００と通信モジュール１０とを接続しておき、互いに接続された通信モジュール１０とフレキシブル確認回路１００は、その後、紙製基板３０の中間層基板３０ｂ上に載置される。
【００７５】
この際、通信モジュール１０は中間層基板３０ｂ上に設けられた第１配線１８Ａおよび第２配線１８Ｂに、回路コネクタ９０Ａ，９０Ｂを介して接続される。
【００７６】
また図３に示すように、紙製基板３０の第１基板３０ａの裏側面３０ａ２および第２基板３０ｃの裏側面３０ｃ２に、発光部用窓１０５Ａ，１０５Ｂを覆って、拡散フィルム１２０を貼り付けてもよい。
【００７７】
このような拡散フィルム１２０は、ＰＥＴ（ポリエチレンテレフタレート）製の透明基材１２１と、透明基材１２１上に設けられたシリカ粒子等の光を拡散する光拡散粒子１２３と、この光拡散粒子１２３を保持するバインダ１２２とを有し、拡散フィルム１２０は透明基材１２１を第１基板３０ａおよび第２基板３０ｃ側に向けて粘着剤１２４により最上層基板３０ａに貼り付けられている。
【００７８】
この拡散フィルム１２０は基材１２１上に光拡散粒子１２３とバインダ１２２とを有するインキをコーティングし、乾燥させることにより得られる。
【００７９】
本実施の形態によれば、上述のように、紙製基板３０を順次折り曲げることにより図１および図２に示す情報収集装置１を得ることができる。またこのようにして得られた情報収集装置１は複数の第１ボタン３Ａ，６Ａを含む表側情報入力面２Ａと、複数の第２ボタン３Ｂ，６Ｂを含む裏側情報入力面２Ｂとを有する。
【００８０】
この場合、情報収集装置１は第１ボタン３Ａ，６Ａを含む表側情報入力面２Ａと、第２ボタン３Ｂ，６Ｂを含む裏側情報入力面２Ｂの２つの入力面をもつことになる。このため多数のボタンを設けるため、複数の種類の情報収集装置１を作製する必要はない。
【００８１】
また、表側情報入力面２Ａと裏側情報入力面２Ｂの各々に適当な数のボタン３Ａ，３Ｂ，６Ａ，６Ｂを配置することができるため、ボタンの押圧操作を容易に行うことができ、かつ外観の意匠性を高めることができる。
【符号の説明】
【００８２】
１  情報収集装置
２Ａ  表側情報入力面
２Ｂ  裏側情報入力面
３Ａ，３Ｂ  スタートボタン
６Ａ，６Ｂ  選択ボタン
１０  通信モジュール
１１  樹脂基板
１２  ＡＳＩＣ
１３  水晶振動子
１４  ボタン電池
１５  スピーカ
１６  パッド
１７  アンテナパターン
１８Ａ  第１配線
１８Ｂ  第２配線
１９  接地パターン
２０  導電パターン
３０  紙製基板
３０ａ  第１基板
３０ｂ  中間層基板
３０ｃ  第２基板
３１Ａ，３１Ｂ，３２Ａ，３２Ｂ  スイッチ接点
３９Ａ，３９Ｂ  端子部
６１  縦方向折曲線
６２  開口
７０  配線基板
９０Ａ，９０Ｂ  回路コネクタ
１００  フレキシブル確認回路
１０１  フレキシブル基材
１０２  ＬＥＤ発光部
１０３  導電部
１２０  拡散フィルム
１２１  透明基材
１２２  バインダ
１２３  光拡散粒子
【図１】
2019176102.tif 000003
【図２】
2019176102.tif 000004
【図３】
2019176102.tif 000005
【図４】
2019176102.tif 000006
【図５】
2019176102.tif 000007
【図６】
2019176102.tif 000008
【図７】
2019176102.tif 000009
【図８】
2019176102.tif 000010